(57)【要約】【課題】  楽に運ぶことができる、通水管の梱包体を提供する。【解決手段】  梱包体２は、周回状に巻回された通水管１の巻回束１ａを、回転可能に収容保護する。この梱包体２は、梱包体本体３と連結筒体４とを備える。梱包体本体３は、段ボール箱からなり、巻回束１ａの各側面１ｃと対向する側壁３ａを有する。そして、この梱包体本体３には、通水管１を引き出す引出部２ａが設けられる。一方、連結筒体４は、梱包体本体３に収容された巻回束１ａの軸空間１ｂを貫通して、側壁３ａ、３ａを互いに連結する。そして、この連結筒体４は、その筒内の中空部４ｃが、人の腕が挿入される大きさに貫通して形成されている。【選択図】  図３
2008074567.tif 000002
【特許請求の範囲】
【請求項１】
中央に軸空間を形成するようにその軸空間の回りに周回状に巻回された通水管の巻回束を、回転可能に収容保護するとともに、前記通水管をその端部から引き出す引出部を備え、前記通水管が前記引出部から引き出されるのにつられて、前記巻回束が回転する、梱包体であって、
前記巻回束の前記軸空間を通るようにして、人の腕が挿入される大きさに貫通して形成された、中空部を有することを特徴とする、通水管の梱包体。
【請求項２】
前記巻回束の各側面と対向する側壁を有して前記巻回束を内部に収容するとともに前記引出部が設けられた梱包体本体と、
前記梱包体本体に収容された前記巻回束の前記軸空間を貫通して、前記側壁を互いに連結する、連結筒体とを、備え、
前記連結筒体は、その筒内が前記中空部となっていることを特徴とする、請求項１に記載の通水管の梱包体。
【請求項３】
前記梱包体本体に収容されて前記巻回束を支えるボビンを備え、
前記ボビンの中空軸孔内に、前記連結筒体が貫通配置されることを特徴とする、請求項２に記載の通水管の梱包体。
【請求項４】
前記連結筒体は、その軸方向と直交する断面形状が、多角形状に形成されていることを特徴とする、請求項２または３に記載の通水管の梱包体。
【請求項５】
前記連結筒体の内面には、前記梱包体を起こすための指掛部が設けられていることを特徴とする、請求項２ないし４のいずれか１項に記載の通水管の梱包体。
【請求項６】
前記指掛部は、前記中空部側に突出して形成されていることを特徴とする、請求項５に記載の通水管の梱包体。
【発明の詳細な説明】
【技術分野】
【０００１】
この発明は、通水管を梱包する、通水管の梱包体に関するものである。
【背景技術】
【０００２】
従来、段ボール箱内に、周回状に巻回された通水管の巻回束を収容し、その巻回束を回転させて通水管を引き出すことができる、通水管の梱包体が考えられていた（例えば、特許文献１参照）。図１０に示されるように、この梱包体１２には、通水管１１の巻回束１１ａを回転させるためのローラ１３が、段ボール箱１５の側壁１５ａ、１５ａに渡されていた。そして、段ボール箱１５の側壁１５ａには、梱包体１２を運ぶ際に指を掛けることができる孔、つまり把手１５ｂが明けられていた。
【０００３】
【特許文献１】特開２００４−１８６４号公報
【発明の開示】
【発明が解決しようとする課題】
【０００４】
ところで、前記従来の梱包体にあっては、この梱包体１２を運ぶ際には、把手１５ｂに指を掛けて梱包体１２を持ち上げて運んでいたため、指が痛くなったり、段ボール箱１５が指の当たる把手１５ｂの部分から破れたりして、運ぶのに支障を来たす虞があった。
【０００５】
この発明は、上記した従来の欠点を解決するためになされたものであり、その目的とするところは、楽に運ぶことができる、通水管の梱包体を提供することにある。
【課題を解決するための手段】
【０００６】
この発明に係る通水管の梱包体は、前記目的を達成するために、次の構成からなる。すなわち、
請求項１に記載の発明に係る通水管の梱包体は、中央に軸空間を形成するようにその軸空間の回りに周回状に巻回された通水管の巻回束を、回転可能に収容保護するとともに、前記通水管をその端部から引き出す引出部を備え、前記通水管が前記引出部から引き出されるのにつられて、前記巻回束が回転する。ここで、梱包体は、前記巻回束の前記軸空間を通るようにして、人の腕が挿入される大きさに貫通して形成された、中空部を有する。これにより、この梱包体を運ぶ際には、人が、巻回束の軸空間を通るようにして貫通して形成された中空部に、腕を挿入することで、梱包体を肩で担ぐことができるため、この梱包体を楽に運ぶことができる。
【０００７】
また、請求項２に記載の発明に係る通水管の梱包体は、請求項１に記載の梱包体において、梱包体本体と連結筒体とを備える。梱包体本体は、前記巻回束の各側面と対向する側壁を有して前記巻回束を内部に収容するとともに前記引出部が設けられる。一方、連結筒体は、前記梱包体本体に収容された前記巻回束の前記軸空間を貫通して、前記側壁を互いに連結する。そして、前記連結筒体は、その筒内が前記中空部となっている。こうして、連結筒体を設けることで、中空部の周りが補強される。このため、側壁の破損を抑えることができ、梱包体を一層楽に運ぶことができる。
【０００８】
また、請求項３に記載の発明に係る通水管の梱包体は、請求項２に記載の梱包体において、前記梱包体本体に収容されて前記巻回束を支えるボビンを備える。そして、前記ボビンの中空軸孔内に、前記連結筒体が貫通配置される。
【０００９】
また、請求項４に記載の発明に係る通水管の梱包体は、請求項２または３に記載の梱包体において、前記連結筒体は、その軸方向と直交する断面形状が、多角形状に形成される。このように、連結筒体を多角形状に形成することで、連結筒体の中空部に腕を挿入して梱包体を担いだ際に、梱包体が回り難くなる。このため、梱包体を安定して担ぐことができ、この梱包体をより一層楽に運ぶことができる。
【００１０】
また、請求項５に記載の発明に係る通水管の梱包体は、請求項２ないし４のいずれか１項に記載の梱包体において、前記連結筒体の内面には、前記梱包体を起こすための指掛部が設けられる。
【００１１】
また、請求項６に記載の発明に係る通水管の梱包体は、請求項５に記載の梱包体において、前記指掛部は、前記中空部側に突出して形成される。
【発明の効果】
【００１２】
この発明に係る通水管の梱包体によれば、巻回束の軸空間を通るようにして貫通して形成された中空部に腕を挿入することで、梱包体を肩で担ぐことができるため、この梱包体を楽に運ぶことができる。
【発明を実施するための最良の形態】
【００１３】
以下、この発明に係る通水管の梱包体を実施するための最良の形態を図面に基づいて説明する。
【００１４】
図１〜図８は、本発明の一実施の形態を示す。図中符号１は、架橋ポリエチレンあるいはポリブデン等の合成樹脂材料からなる、可撓性を備えた、配管材としての、給水管等の通水管である。１ａは、前記通水管１の巻回束であり、中央に軸空間１ｂを形成するようにその軸空間１ｂの回りに周回状に巻回されている。２は、梱包体であり、前記巻回束１ａを、回転可能に収容保護するとともに、通水管１をその端部から引き出す引出部２ａを備え、通水管１が引出部２ａから引き出されるのにつられて、巻回束１ａが回転するものである。そして、この梱包体２は、巻回束１ａの軸空間１ｂを通るようにして、人の腕が挿入される大きさに貫通して形成された、中空部４ｃを有する。
【００１５】
詳細には、梱包体２は、巻回束１ａの各側面１ｃ、１ｃと対向する側壁３ａ、３ａを有して巻回束１ａを内部に収容するとともに前記引出部２ａが設けられた梱包体本体３と、その梱包体本体３に収容された巻回束１ａの軸空間１ｂを貫通して、梱包体本体３の側壁３ａ、３ａを互いに連結する、連結筒体４とを、備える。そして、この連結筒体４は、その筒内が前記中空部４ｃとなっている。また、連結筒体４の内面には、梱包体２を起こすすめの指掛部４ａが設けられている。そして、この指掛部４ａは、前記中空部４ｃ側に突出して形成されている。
【００１６】
また、梱包体２は、梱包体本体３に収容されて巻回束１ａを支えるボビン５を備える。そこで、このボビン５の中空軸孔５ａ内に、前記連結筒体４が貫通配置される。さらに、梱包体２は、側壁３ａ、３ａのそれぞれに固定されて、前記ボビン５が回転する軸となる、二つの筒体６、６を備える。そこで、前記連結筒体４は、この筒体６、６内を通って、前記ボビン５の中空軸孔５ａ内に貫通配置される。
【００１７】
具体的には、梱包体本体３は、例えば紙製（詳細には、段ボール製）であって、矩形形状の六面体、すなわち直六面体の、箱からなる（図１参照）。そこで、前記引出部２ａは、図１および図４に示すように、梱包体本体３における、巻回束１ａの外周面１ｄと対向する周壁３ｂであって、梱包体２を縦置きの状態（側壁３ａが縦になった状態）で通水管１を引き出す際に、上部に位置する上壁３ｃに設けられている。そして、引出部２ａには、その引出部２ａを開閉する蓋２ｂ、２ｂが設けられている。また、梱包体本体３の側壁３ａ、３ａのそれぞれには、中央付近に通孔３ｄが明けられている。
【００１８】
連結筒体４は、例えば紙製（詳細には、段ボール製）である。この連結筒体４（詳細には、後述する連結筒本体４ｄ）は、その軸方向と直交する断面形状が、多角形状（図示実施の形態においては、正多角形状、詳細には、正六角形状）に形成されている（図５参照）。そして、連結筒体４の中空部４ｃの大きは、例えば、対辺間の距離が２００〜２５０ｍｍ程度となっている。もっとも、中空部４ｃの大きさは、この数値に限定されるものではない。
【００１９】
この連結筒体に設けられる前記指掛部４ａは、伸縮部からなり、この伸縮部は、梱包体本体３の側壁３ａ、３ａが互いに広がる変形を所定位置まで許容するとともにその所定位置以上に広がる変形を規制するように、伸び量が制限されたものである。そして、その伸縮部（指掛部４ａ）は、連結筒体４の周方向において局部的に伸縮可能となるよう形成されている。また、伸縮部（指掛部４ａ）は、この連結筒体４の筒内側（すなわち、中空部４ｃ側）に、Ｖ字状に折り返されて形成されている（図６参照）。この伸縮部（指掛部４ａ）は、連結筒体４における軸方向の中央位置に設けられ、また、連結筒体４における多角形状の全ての辺に形成されている。そして、伸縮部（指掛部４ａ）は、連結筒体４における多角形状の角部に形成された切欠き４ｂにより分断されることで、多角形状の各辺毎に独立して設けられている。ここで、伸縮部（指掛部４ａ）の伸び量は、通水管１の外径以上が好ましい。つまり、通水管１の外径が１３ｍｍである場合には、この伸縮部（指掛部４ａ）の伸び量は、１３ｍｍ以上とするのが良い。例えば、基準（すなわち、側壁３ａ、３ａが平行な状態）の伸縮部（指掛部４ａ）の長さが２０ｍｍであるのに対し、伸長した伸縮部（指掛部４ａ）の長さを４０ｍｍとすることで、この伸縮部（指掛部４ａ）の伸び量は、４０ｍｍ［伸長した長さ］−２０ｍｍ［基準の長さ］＝２０ｍｍに制限される。
【００２０】
ところで、この連結筒体４は、前述したように断面多角形状（図示実施の形態においては、正六角形状）であって指掛部４ａを有する連結筒本体４ｄと、その連結筒本体４ｄの両端部分に配置される鍔部材４ｅ、４ｅとからなっている。連結筒本体４ｄは、一枚の段ボールで、多角形状（図示実施の形態においては、正六角形状）に、折り曲げ形成されている。もっとも、連結筒本体４ｄは、例えば、周方向に並べられる二枚以上の段ボールで形成されてもよい。鍔部材４ｅは、鍔部４ｆと、その鍔部４ｆの、断面多角形状（図示実施の形態においては、正六角形状）をした内周４ｇの、各辺から折り曲げられた第１曲げ片４ｈと、その第１曲げ片４ｈから折り返されるように曲げられた第２曲げ片４ｉとからなる。そして、鍔部４ｆは、梱包体本体３における側壁３ａに、通孔３ｄの周囲を表側から覆うようにして、接着等により固定され、第１および第２曲げ片４ｈ、４ｉは、通孔３ｄから梱包体本体３の内部に挿入される。そして、連結筒本体４ｄは、第１曲げ片４ｈ、４ｈによって形成される孔に挿入され、それら第１曲げ片４ｈ、４ｈに接着等により固定される。
【００２１】
ボビン５は、例えば紙製（詳細には、段ボール製）である。このボビン５は、図７および図８に示すように、ボビン本体５ｂと、そのボビン本体５ｂを両側から挟む一対の側板５ｃ、５ｃとからなる。ボビン本体５ｂは、巻回束１ａの内周面１ｅを支持するものであり、また、側板５ｃは、巻回束１ａの側面１ｃと対向するものであって、中央には、軸孔５ｄが明けられている。そして、ボビン本体５ｂの内側空間と側板５ｃ、５ｃの軸孔５ｄ、５ｄとで、前記中空軸孔５ａが形成される。詳細には、ボビン本体５ｂは、周方向に並ぶ二枚の段ボールが、結合片５ｅ、５ｅが噛合わされるようにして組み付けられて、長辺と短辺とが６組並ぶ１２角形状に、折り曲げ形成されている。そして、ボビン本体５ｂには、各辺から直角に折り曲げられた曲げ片５ｆが設けられており、ボビン本体５ｂは、この曲げ片５ｆ、５ｆ部分で、側板５ｃ、５ｃに接着等により固定される。側板５ｃは、円板状に形成されている。そして、側板５ｃの中央の軸孔５ｄは、６角形状をし、折返し片５ｇ、５ｇによって補強されている。
【００２２】
筒体６は、例えば紙製（詳細には、厚紙製）であって、円形の紙管からなる。そして、この筒体６は、図２および図３に示すように、連結筒体４における鍔部材４ｅの第２曲げ片４ｉ、４ｉの外側に嵌まるようにして、梱包体本体３における側壁３ａの通孔３ｄの周面に、接着等により固定される。そして、この筒体６に、前記ボビン５の軸孔５ｄが嵌まり、この筒体６は、ボビン５が巻回束１ａとともに回転する軸となる。
【００２３】
次に、以上の構成からなる梱包体２の作用効果について説明する。この梱包体２によると、この梱包体２を運ぶ際には、人が、巻回束１ａの軸空間１ｂを通るようにして貫通して形成された中空部４ｃに、腕を挿入することで、梱包体２を肩で担ぐことができるため、この梱包体２を楽に運ぶことができる。ここにおいて、梱包体２には、側壁３ａ、３ａを連結する連結筒体４が設けられて、その連結筒体４の筒内が前記中空部４ｃとなっている。このため、中空部４ｃの回りがこの連結筒体４により補強され、側壁３ａ、３ａの破損を抑えることができ、梱包体２を一層楽に運ぶことができる。その上、連結筒体４は、多角形状に形成されており、連結筒体４の中空部４ｃに腕を挿入して梱包体２を担いだ際に、梱包体２が回り難くなる。このため、梱包体２を安定して担ぐことができ、この梱包体２をより一層楽に運ぶことができる。
【００２４】
また、通水管１を引出部２ａから引き出したときに、その引き出す力により、通水管１が巻回束１ａの外周側から内側に入り込もうとして巻回束１ａが横に膨らむことなどにより、梱包体本体３の側壁３ａ、３ａは、押されて互いに広がろうとする。図示実施の形態においては、梱包体２は、巻回束１ａを支えるボビン５を備えているため、巻回束１ａが横に膨らむことなどにより、ボビン５の側板５ｃ、５ｃは、押されて互いに広がり、この側板５ｃ、５ｃの広がりにより、梱包体本体３の側壁３ａ、３ａが、押されて互いに広がろうとする。ここで、側壁３ａ、３ａを互いに連結する連結筒体４は、伸縮部（指掛部４ａ）を有しており、この伸縮部（指掛部４ａ）が伸びることで、梱包体本体３の側壁３ａ、３ａは、互いに広がることができる。したがって、巻回束１ａが横に膨らむことなどによる側壁３ａが受ける力を和らげることができ、通水管１を円滑に引き出すことができる。しかも、この際、連結筒体４の伸縮部（指掛部４ａ）は、連結筒体４の周方向において局部的に伸縮可能となっているため、通水管１を引き出すときの荷重のかかりが一様でない場合にも、この伸縮部（指掛部４ａ）は、容易に追従することができる。このように、連結筒体４が、局部的に伸縮可能な伸縮部（指掛部４ａ）を有することで、通水管１を円滑に引き出すことができる。このため、通水管１を引き出した際に、その通水管１を引き出す力が低減され、この引き出す力による梱包体２の壊れを防止することができる。また、伸縮部（指掛部４ａ）は、伸び量が制限されているため、側壁３ａ、３ａが、所定位置以上に広がることがない。このため、通水管１を引き出した際に、側壁３ａ、３ａが所定位置以上に広がることによる梱包体２の壊れを防止することができる。このように、連結筒体４に、局部的に伸縮可能な伸縮部（指掛部４ａ）を設け、かつ、その伸縮部（指掛部４ａ）の伸び量を制限することで、通水管１を引き出した際に、その通水管１を引き出す力による梱包体２の壊れとか、側壁３ａ、３ａが所定位置以上に広がることによる梱包体２の壊れとかを防止することができる。
【００２５】
また、伸縮部（指掛部４ａ）は、Ｖ字状に折り返されて形成されているため、そのＶ字の開いた側となる基端側が当接するまで縮むことはできても、それ以上に縮むことはない。したがって、梱包体２を横にして（すなわち、側壁３ａが横になった状態で）積み重ねた場合等、側壁３ａ、３ａが近づくよう力が働いた場合に、側壁３ａ、３ａが必要以上に近づいて梱包体２が潰れることを防ぐことができる。
【００２６】
なお、本発明は、上述した実施の形態に限定されるわけではなく、その他種々の変更が可能である。例えば、梱包体２は、ボビン５が回転する軸となる筒体６を備えるが、この筒体６は無くともよい。この場合には、ボビン５は、連結筒体４を軸として回転する。さらに、梱包体２は、ボビン５が巻回束１ａを支えて、巻回束１ａは、ボビン５とともに回転するが、このボビン５は無くともよい。すなわち、巻回束１ａが、単独で回転しても構わない。
【００２７】
また、連結筒体４において、伸縮部（指掛部４ａ）は、連結筒体４の筒内側（つまり、中空部４ｃ側）に折り返されているが、連結筒体４の筒外側に折り返されてもよい。また、この伸縮部（指掛部４ａ）は、Ｖ字状に折り返されて形成されているが、Ｗ字状等、複数折り返されて形成されてもよい。
【００２８】
また、伸縮部（指掛部４ａ）は、側壁３ａ、３ａが平行な状態となる、基準状態にある伸縮部（指掛部４ａ）から、縮むことがないように形成されてもよい。具体的には、例えば、図９に示すように、伸縮部（指掛部４ａ）は、基端側が閉じた三角形状に折り返されて形成されてもよい。これにより、この梱包体２を横にして（すなわち、側壁３ａが横になった状態で）積み重ねた場合等、側壁３ａ、３ａが近づくよう力が働いた場合に、伸縮部（指掛部４ａ）が縮むことはない。したがって、このような場合であっても、側壁３ａ、３ａが近づいて梱包体２が潰れることを確実に防ぐことができる。
【００２９】
また、伸縮部（指掛部４ａ）は、連結筒体４における軸方向の中央位置に設けられているが、中央から外れた位置に設けられてもよい。また、伸縮部（指掛部４ａ）は、連結筒体４における多角形状の全ての辺に形成されなくとも、一つ置き等、一部の辺に形成されてもよい。
【００３０】
また、指掛部４ａは、伸縮部からならなくとも、伸縮しない、すなわち変形しないものであってもよい。そして、指掛部４ａは、中空部４ｃ側に突出して形成されなくとも、窪んで形成されてもよく、また、孔からなっていてもよい。また、この指掛部４ａは、無くともよい。
【００３１】
また、連結筒体４は、その軸方向と直交する断面形状が、多角形状（図示実施の形態においては、正六角形状）に形成されているが、円形形状等に形成されてもよい。さらに、この連結筒体４は、無くともよい。
【００３２】
また、梱包体本体３の側壁３ａ、３ａが広がるのは、通水管１を引き出す力が、梱包体本体３に作用した場合に限らず、巻回束１ａの自重等が、梱包体本体３に作用して、側壁３ａ、３ａが広がることもある。
【００３３】
また、この梱包体２は、通水管１を引き出すにあたって、縦置きの状態（梱包体本体３の側壁３ａが縦になった状態）で用いてもよいが、横置きの状態（梱包体本体３の側壁３ａが横になった状態）で用いてもよい。
【図面の簡単な説明】
【００３４】
【図１】この発明の一実施の形態の、梱包体の蓋を閉状態としたときの斜視図である。
【図２】同じく、図１におけるＡ−Ａ線による断面図である。
【図３】同じく、図１におけるＢ−Ｂ線による拡大断面図である。
【図４】同じく、蓋を開状態とし、通水管を引き出すときの斜視図である。
【図５】同じく、連結筒体の縦断面図である。
【図６】同じく、図５におけるＣ−Ｃ線による拡大断面図である。
【図７】同じく、ボビンの縦断面図である。
【図８】同じく、図７におけるＤ−Ｄ線による拡大断面図である。
【図９】この発明の他の実施の形態の、図６相当図である。
【図１０】従来の梱包体を示す断面図である。
【符号の説明】
【００３５】
１  通水管
１ａ  巻回束
１ｂ  軸空間
１ｃ  側面
２  梱包体
２ａ  引出部
３  梱包体本体
３ａ  側壁
４  連結筒体
４ａ  指掛部
４ｃ  中空部
５  ボビン
５ａ  中空軸孔
【図１】
2008074567.tif 000003
【図２】
2008074567.tif 000004
【図３】
2008074567.tif 000005
【図４】
2008074567.tif 000006
【図５】
2008074567.tif 000007
【図６】
2008074567.tif 000008
【図７】
2008074567.tif 000009
【図８】
2008074567.tif 000010
【図９】
2008074567.tif 000011
【図１０】
2008074567.tif 000012